【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
導電性支持体および該導電性支持体上に設けられた感光層を有する電子写真感光体において、該電子写真感光体の最表面層の表面が粗面化処理されており、該粗面化処理された後の該最表面層の表面の光沢度の標準偏差が４以下であることを特徴とする電子写真感光体。
【請求項２】
前記光沢度の平均値が５５以上８０以下である請求項１に記載の電子写真感光体。
【請求項３】
前記最表面層が、熱または放射線照射により硬化されている層である請求項１または２に記載の電子写真感光体。
【請求項４】
導電性支持体および該導電性支持体上に設けられた感光層を有する電子写真感光体を製造する方法において、該電子写真感光体の最表面層の表面の光沢度の標準偏差が４以下になるように該最表面層の表面を粗面化処理する工程を有することを特徴とする電子写真感光体の製造方法。
【請求項５】
前記粗面化処理する工程が乾式ブラストにより行われる請求項４に記載の電子写真感光体の製造方法。
【請求項６】
請求項１〜３のいずれかに記載の電子写真感光体と、帯電手段、現像手段およびクリーニング手段からなる群より選択される少なくとも１つの手段とを一体に支持し、電子写真装置本体に着脱自在であることを特徴とするプロセスカートリッジ。
【請求項７】
請求項１〜３のいずれかに記載の電子写真感光体、帯電手段、露光手段、現像手段、転写手段およびクリーニング手段を有することを特徴とする電子写真装置。
【手続補正２】
【補正対象書類名】明細書
【補正対象項目名】００１９
【補正方法】変更
【補正の内容】
【００１９】
（１）本発明は、導電性支持体および該導電性支持体上に設けられた感光層を有する電子写真感光体において、該電子写真感光体の最表面層の表面が粗面化処理されており、該粗面化処理された後の該最表面層の表面の光沢度の標準偏差が４以下であることを特徴とする電子写真感光体である。
【手続補正３】
【補正対象書類名】明細書
【補正対象項目名】００２０
【補正方法】変更
【補正の内容】
【００２０】
（２）また本発明は、前記光沢度の平均値が５５以上８０以下である（１）の電子写真感光体である。
【手続補正４】
【補正対象書類名】明細書
【補正対象項目名】００２１
【補正方法】変更
【補正の内容】
【００２１】
（３）また本発明は、前記最表面層が、熱または放射線照射により硬化されている層である（１）または（２）の電子写真感光体である。
【手続補正５】
【補正対象書類名】明細書
【補正対象項目名】００２２
【補正方法】変更
【補正の内容】
【００２２】
（４）また本発明は、前記最表面層が電荷輸送機能を有する（３）の電子写真感光体である。
【手続補正６】
【補正対象書類名】明細書
【補正対象項目名】００２３
【補正方法】変更
【補正の内容】
【００２３】
（５）また本発明は、前記最表面層が、連鎖重合性官能基を有する化合物を重合または架橋によって硬化させて得られる樹脂を含有する（３）または（４）の電子写真感光体である。
【手続補正７】
【補正対象書類名】明細書
【補正対象項目名】００２４
【補正方法】変更
【補正の内容】
【００２４】
（６）また本発明は、前記連鎖重合性官能基を有する化合物が電荷輸送性を有する化合物である（５）の電子写真感光体である。
【手続補正８】
【補正対象書類名】明細書
【補正対象項目名】００２５
【補正方法】変更
【補正の内容】
【００２５】
（７）また本発明は、前記連鎖重合性官能基を有する化合物が正孔輸送性を有する化合物である（６）の電子写真感光体である。
【手続補正９】
【補正対象書類名】明細書
【補正対象項目名】００２６
【補正方法】変更
【補正の内容】
【００２６】
（８）また本発明は、前記連鎖重合性官能基が不飽和重合性官能基である（６）または（７）の電子写真感光体である。
【手続補正１０】
【補正対象書類名】明細書
【補正対象項目名】００２７
【補正方法】変更
【補正の内容】
【００２７】
（９）また本発明は、前記最表面層が硬化性樹脂が含有し、該硬化性樹脂がフェノール樹脂、アクリル樹脂、エポキシ樹脂、シロキサン樹脂およびウレタン樹脂からなる群より選択される少なくとも１種の樹脂である（３）の電子写真感光体である。
【手続補正１１】
【補正対象書類名】明細書
【補正対象項目名】００２８
【補正方法】変更
【補正の内容】
【００２８】
（１０）また本発明は、前記感光層が滑材を含有する（１）または（２）の電子写真感光体である。
【手続補正１２】
【補正対象書類名】明細書
【補正対象項目名】００２９
【補正方法】変更
【補正の内容】
【００２９】
（１１）また本発明は、前記滑材が、弗素もしくは珪素を含む有機微粒子、または、シリコーンオイルである（１０）の電子写真感光体である。
【手続補正１３】
【補正対象書類名】明細書
【補正対象項目名】００３０
【補正方法】変更
【補正の内容】
【００３０】
（１２）また本発明は、前記最表面層が滑材を含有する（３）の電子写真感光体である。
【手続補正１４】
【補正対象書類名】明細書
【補正対象項目名】００３１
【補正方法】変更
【補正の内容】
【００３１】
（１３）また本発明は、前記滑材が、弗素もしくは珪素を含む有機微粒子、または、シリコーンオイルである（１２）の電子写真感光体である。
【手続補正１５】
【補正対象書類名】明細書
【補正対象項目名】００３２
【補正方法】変更
【補正の内容】
【００３２】
（１４）また本発明は、導電性支持体および該導電性支持体上に設けられた感光層を有する電子写真感光体を製造する方法において、該電子写真感光体の最表面層の表面の光沢度の標準偏差が４以下になるように該最表面層の表面を粗面化処理する工程を有することを特徴とする電子写真感光体の製造方法である。
【手続補正１６】
【補正対象書類名】明細書
【補正対象項目名】００３３
【補正方法】変更
【補正の内容】
【００３３】
（１５）また本発明は、前記粗面化処理する工程が乾式ブラストにより行われる（１４）の電子写真感光体の製造方法である。
【手続補正１７】
【補正対象書類名】明細書
【補正対象項目名】００３４
【補正方法】変更
【補正の内容】
【００３４】
（１６）また本発明は、前記粗面化処理する工程が前記電子写真感光体を回転させながら行われ、前記電子写真感光体の半径をＡ（ｍｍ）、回転数をＢ（ｒｐｍ）とすると、以下の式（Ｉ）
１００≦２×Ａ×Ｂ／６０  −（Ｉ）
を満たす（１４）または（１５）の電子写真感光体の製造方法である。
【手続補正１８】
【補正対象書類名】明細書
【補正対象項目名】００３５
【補正方法】変更
【補正の内容】
【００３５】
（１７）また本発明は、（１）〜（１３）のいずれかの電子写真感光体と、帯電手段、現像手段およびクリーニング手段からなる群より選択される少なくとも１つの手段とを一体に支持し、電子写真装置本体に着脱自在であることを特徴とするプロセスカートリッジである。
【手続補正１９】
【補正対象書類名】明細書
【補正対象項目名】００３６
【補正方法】変更
【補正の内容】
【００３６】
（１８）また本発明は、（１）〜（１３）のいずれかの電子写真感光体、帯電手段、露光手段、現像手段、転写手段およびクリーニング手段を有することを特徴とする電子写真装置である。
【手続補正２０】
【補正対象書類名】明細書
【補正対象項目名】００３７
【補正方法】変更
【補正の内容】
【００３７】
本発明によれば、電子写真感光体の最表面層を粗面化処理し、更に、粗面化処理後の数値のふれ幅を規定することにより、高画質化された電子写真装置においても、中〜低濃度、および人物の肌のような極ハイライトにおける何れの濃度の画像に対してものざらつき感がなく、高濃度においては、画像の均一性に優れ、且つ、文字画像、ライン画像においても、かすれ、つぶれ等もみられず、高精細の画像を提供することができる。また、プロセスのクリーニング手段において、ブレードエッジに、びびり、欠け等を生じることがないため、画像上、黒スジ等の不具合画像が発生することがない。
【手続補正２１】
【補正対象書類名】明細書
【補正対象項目名】００３９
【補正方法】変更
【補正の内容】
【００３９】
上記のような問題を効果的に改善するべく、本発明者らは鋭意検討した結果、電子写真感光体の最表面層を粗面化し、且つ、該粗面化の指標値の平均値に対してのふれ幅を規定することにより上記の問題点を効果的に改善することを見出した。
【手続補正２２】
【補正対象書類名】明細書
【補正対象項目名】００４０
【補正方法】変更
【補正の内容】
【００４０】
即ち、粗面化の指標値として光沢度を選択し、且つ、その測定値の平均値に対してのふれ幅である標準偏差を４以下と規定している。
【手続補正２３】
【補正対象書類名】明細書
【補正対象項目名】００６５
【補正方法】変更
【補正の内容】
【００６５】
本発明の電子写真感光体の導電性支持体は、鉄、銅、金、銀、アルミニウム、亜鉛、チタン、鉛、ニッケル、スズ、アンチモン、インジウムなどの金属や合金、あるいは前記金属の酸化物、カーボン、導電性高分子などが使用可能である。形状は円筒状、円柱状などのドラム形状と、ベルト状、シート状のものとがある。前記導電性材料は、そのまま成形加工される場合、塗料として用いられる場合、蒸着される場合や、エッチング、プラズマ処理により加工される場合もある。塗料の場合、導電性支持体は前記金属、合金はもちろん、紙、プラスチックなども用いることが可能である。
【手続補正２４】
【補正対象書類名】明細書
【補正対象項目名】００６６
【補正方法】変更
【補正の内容】
【００６６】
更に導電性支持体上に、導電性支持体のムラや欠陥の被覆、および画像入力がレーザー光の場合には散乱による干渉縞防止を目的とした導電層を設けることが好適である。これは、カーボンブラック、金属粒子、金属酸化物等の導電性粉体を、バインダー樹脂中に分散して形成することができる。
【手続補正２５】
【補正対象書類名】明細書
【補正対象項目名】０１１２
【補正方法】変更
【補正の内容】
【０１１２】
上述の感光体や現像手段、クリーニング手段などの構成要素のうち、複数のものを装置ユニットとして一体に結合して構成し、このユニットを電子写真装置本体に対して着脱自在に構成してなるプロセスカートリッジにしても良い。図４−２にプロセスカートリッジの例を示す。例えば、感光体４−１とクリーニング手段４−５とを一体化してひとつの装置ユニットとし、装置本体のレール４−１２などの案内手段を用いて着脱自在の構成にしても良い。このとき、上記の装置ユニットの方に帯電手段および／または現像手段を伴って構成しても良い。４−１１はカートリッジ枠体である。
【手続補正２６】
【補正対象書類名】明細書
【補正対象項目名】０１６６
【補正方法】変更
【補正の内容】
【０１６６】
［参考例２］
実施例１において、圧縮エアの圧力を０．２０ＭＰａとした以外は同様な粗面化処理を行った。
平均値は８１．９、標準偏差は１．５０であった。